(57)【要約】      （修正有）【課題】天井野縁受けの吊下げ用金具として、地震の揺れ等で天井部全体に大きな外力が作用しても、本体部と吊りボルト取付部の境界部が変形せず、もって天井部全体の歪みや局部変形、天井部の脱落や破壊等を確実に防止できるものを提供する。【解決手段】天井スラブＳから垂下する吊りボルトＦの下端部に取り付けられて天井の野縁受けＤを支持するための吊下げ用金具Ｈ１であって、全体が一枚の金属板からなり、上下方向に沿う帯状の本体部１と、本体部１の上端から後方へ水平に張出する吊りボルト取付部２と、本体部１の下部から前方へ折り返し状に曲折して上向きに開くコ字状の野縁受け抱持部３とが一体形成され、本体部１及び吊りボルト取付部２の両側縁に、それぞれ該本体部１から吊りボルト取付部２にわたって連続して後方へ突出する突縁部４が設けられている。【選択図】図３
0003161901.tif 000002
【実用新案登録請求の範囲】
【請求項１】
天井躯体から垂下する吊りボルトの下端部に取り付けられて天井の野縁受けを支持するための吊下げ用金具であって、全体が一枚の金属板からなり、野縁受け支持側を前として、上下方向に沿う帯状の本体部と、該本体部の上端から後方へ水平に張出する吊りボルト取付部と、該本体部の下部から前方へ折り返し状に曲折して上向きに開くコ字状の野縁受け抱持部とが一体形成され、
前記本体部及び吊りボルト取付部の両側縁に、それぞれ該本体部から吊りボルト取付部にわたって連続して後方へ突出する突縁部が設けられていることを特徴とする天井野縁受けの吊下げ用金具。
【請求項２】
野縁受け抱持部に抱持された野縁受けが上方へ離脱するのを防止する離脱防止手段を備えてなる請求項１に記載の天井野縁受けの吊下げ用金具。
【請求項３】
野縁受け抱持部の拡がりを阻止する拡がり阻止手段を備えてなる請求項１又は２に記載の天井野縁受けの吊下げ用金具。
【考案の詳細な説明】
【技術分野】
【０００１】
本考案は、建物天井部の軽量鉄骨製下地骨組において、天井躯体から垂下する吊りボルトによって天井の野縁受けを吊下げて支持するために、該吊りボルトの下端に取り付けられる吊下げ用金具に関する。
【背景技術】
【０００２】
建物天井部の軽量鉄骨製下地骨組の典型的な構造を図９に示す。この下地骨組は、天井板Ａを取付ける天井野縁Ｂと、この野縁Ｂをフック部材Ｃを介して支持する野縁受けＤと、コンクリート天井スラブＳに埋設されたインサートナットＥと、このインサートナットＥに上端部を螺挿して垂下する吊りボルトＦと、この吊りボルトＦの下端部に取付けられて野縁受けＤを横架させる吊下げ用金具Ｈと、からなる。そして、吊下げ用金具Ｈは、帯状金属板を折曲し、上下方向に延びる本体部１と、その上端から後方へ水平に張出する吊りボルト取付部２と、本体部１の下部から前方へ折り返し状に曲折して上向きに開くコ字状の野縁受け抱持部３とが一体形成されており、吊りボルト取付部２のボルト挿通孔（図示せず）に吊りボルトＦの下端部を挿通し、上下一対のナットＧによって固定すると共に、野縁受け抱持部３で野縁受けＤを下方から抱持して支承するようになっている。
【０００３】
また、図９で例示した吊下げ用金具Ｈでは、上向きコ字状の野縁受け抱持部３が加重によって拡がるように変形するのを防止すると共に、該野縁受け抱持部３に抱持された野縁受けＤの上方離脱を阻止するために、本体部１と野縁受け抱持部３の前壁部３ａとをボルトナットＪでつなぎ止めるようにしている。
【０００４】
一方、上記吊下げ用金具ＨのボルトナットＪによるつなぎ止め操作には手間がかかることから、本出願人は先に、特許文献１として図１０に示す構造の吊下げ用金具Ｈ０を提案して既に実用化している。この吊下げ用金具Ｈ０では、本体部１の上部側の切込みにより、下端が該本体部１につながるＴ字形の拡がり阻止片１１を形成すると共に、野縁受け抱持部３の前壁部３ａにおける前方へ傾斜させた傾斜上部３０の中央に上方へ開く切欠溝１２を設けてあり、野縁受け抱持部３に野縁受け（図示省略）を嵌合させたのち、図示仮想線の如く拡がり阻止片１１を前方へ曲げ倒して、その先端掛止部１１ａを切欠溝１２に掛止させるだけの簡単な操作により、野縁受け抱持部３の拡がり変形を防止するようにしている。また、この吊下げ用金具Ｈ０の場合、野縁受け抱持部３の前壁部３ａに、上向きコ字形の切込みによって傾斜上部３０の基部位置で後方へ突出する係止突片１３を形成すると共に、本体部１の左右両側部に、該係止突片１３と略同じ高さ位置で前方へ突出する係止突起１４，１４を形成し、これら係止突片１３と係止突起１４，１４によって野縁受けの上方離脱を防止するようにしている。なお、図１０中、１５は本体部１の剛性を高めるために後方へ畝状に膨出させた補強リブ、２１は吊りボルト取付部２に設けたボルト挿通孔である。
【先行技術文献】
【特許文献】
【０００５】
【特許文献１】特開平７−２０７８０９
【考案の概要】
【考案が解決しようとする課題】
【０００６】
しかしながら、図９で例示する吊下げ用金具Ｈや前記提案に係る吊下げ用金具Ｈ０を代表とする従来汎用の吊下げ用金具では、地震の揺れ等で天井部全体に大きな外力が作用した際、直角に配置していた本体部１と吊りボルト取付部２が境界部の座屈によって挟角になったり、逆に境界部の伸びで広角になるように変形し、天井部全体の歪みや局部変形、更には天井部の脱落や破壊に繋がる懸念があった。
【０００７】
本考案は、上述の事情に鑑みて、天井野縁受けの吊下げ用金具として、地震の揺れ等で天井部全体に大きな外力が作用しても、本体部と吊りボルト取付部の境界部が変形せず、もって天井部全体の歪みや局部変形、天井部の脱落や破壊等を確実に防止できるものを提供することを目的としている。
【課題を解決するための手段】
【０００８】
上記目的を達成するための手段を図面の参照符号を付して示せば、請求項１の考案は、天井躯体（天井スラブＳ）から垂下する吊りボルトＦの下端部に取り付けられて天井の野縁受けＤを支持するための吊下げ用金具Ｈ１〜Ｈ４であって、全体が一枚の金属板からなり、野縁受け支持側を前として、上下方向に沿う帯状の本体部１と、該本体部１の上端から後方へ水平に張出する吊りボルト取付部２と、該本体部１の下部から前方へ折り返し状に曲折して上向きに開くコ字状の野縁受け抱持部３とが一体形成され、本体部１及び吊りボルト取付部２の両側縁に、それぞれ該本体部１から吊りボルト取付部２にわたって連続して後方へ突出する突縁部４，４が設けられていることを特徴としている。
【０００９】
請求項２の考案は、上記請求項１の天井野縁受けの吊下げ用金具Ｈ１〜Ｈ４において、野縁受け抱持部３に抱持された天井野縁受けＤが上方へ離脱するのを防止する離脱防止手段（抜け止め突片５，６、連結ボルト９）を備えてなるものとしている。
【００１０】
請求項３の考案は、上記請求項１又は２の天井野縁受けの吊下げ用金具Ｈ３，Ｈ４において、野縁受け抱持部３の拡がりを阻止する拡がり阻止手段（掛止片７，掛止溝８、連結ボルト９）を備えてなるものとしている。
【考案の効果】
【００１１】
次に、本考案の効果について、図面の参照符号を付して説明する。請求項１の考案に係る吊下げ用金具Ｈ１〜Ｈ４によれば、本体部１及び吊りボルト取付部２の両側縁に、該本体部１から吊りボルト取付部２にわたって連続して後方へ突出する突縁部４，４を有するから、これを軽量鉄骨製下地骨組に用いた天井部全体に地震の揺れ等で大きな外力が作用しても、本体部１と吊りボルト取付部２の境界部が座屈したり伸びて開いたりせず、該本体部１と吊りボルト取付部２が剛体的に直角の配置を維持すると共に、本体部１自体も高剛性で曲がりにくくなる。従って、この吊下げ用金具Ｈ１〜Ｈ４を建物天井部の軽量鉄骨製下地骨組に使用した場合、地震の際に天井部全体が建物躯体と一体に揺れ動く形になり、天井部全体の歪みや局部変形、天井部の脱落や破壊等を確実に防止でき、高い耐震性が得られる。
【００１２】
請求項２の考案によれば、上記の天井野縁受けの吊下げ用金具Ｈ１〜Ｈ４が離脱防止手段（抜け止め突片５，６、連結ボルト９）を備えるから、これを用いた下地骨組に地震等で大きな上下振動が加わっても  野縁受け抱持部３から野縁受けＤが上方へ離脱せず、もって天井部全体の歪みや局部変形、天井部の脱落や破壊等をより確実に防止できる。
【００１３】
請求項３の考案によれば、上記の天井野縁受けの吊下げ用金具Ｈ３，Ｈ４が拡がり阻止手段（掛止片７，掛止溝８、連結ボルト９）を備えるから、野縁受け抱持部３が加重で拡がったり地震等の外力で拡がったりするのを確実に阻止でき、もって高い耐加重強度及び優れた耐久性が得られる。
【図面の簡単な説明】
【００１４】
【図１】本考案に係る吊下げ用金具の第一実施形態を示す斜視図である。
【図２】同第一実施形態の吊下げ用金具を示し、（ａ）は図１のＸ−Ｘ線の断面矢視図、（ｂ）はＹ−Ｙ線の断面矢視図じある。
【図３】同第一実施形態の吊下げ用金具を用いた建物天井部の軽量鉄骨製下地骨組を示す斜視図である。
【図４】本考案に係る吊下げ用金具の第二実施形態を示す斜視図である。
【図５】本考案に係る吊下げ用金具の第三実施形態を示す斜視図である。
【図６】同第三実施形態の吊下げ用金具を用いた建物天井部の軽量鉄骨製下地骨組を示す斜視図である。
【図７】本考案に係る吊下げ用金具の第四実施形態を示す斜視図である。
【図８】同第四実施形態の吊下げ用金具を用いた建物天井部の軽量鉄骨製下地骨組を示す斜視図である。
【図９】従来の典型的な建物天井部の軽量鉄骨製下地骨組を示す斜視図である。
【図１０】従来提案に係る吊下げ用金具の斜視図である。
【考案を実施するための形態】
【００１５】
以下に、本考案に係る天井野縁受けの吊下げ用金具の実施形態について、図面を参照して具体的に説明する。第一〜第四実施形態の吊下げ用金具Ｈ１〜Ｈ４は、いずれも一枚の金属板からの打ち抜き及び曲げ加工によって形成されたものである。なお、これら実施形態において共通する構成部分には同じ符号を付すと共に、第一実施形態で説明した構成部分については第二〜第四実施形態では説明を省略する。また、これら実施形態の吊下げ用金具Ｈ１〜Ｈ４と既述の図９及び図１０で示した従来構造の吊下げ用金具Ｈ，Ｈ０との共通部分、ならびにこれら吊下げ用金具を用いた軽量鉄骨製下地骨組の各構成部材についても同じ符号を附している。
【００１６】
図１及び図２に示す第一実施形態の吊下げ用金具Ｈ１は、上下方向に沿う帯状の本体部１と、該本体部１の上端から後方へ水平に張出する吊りボルト取付部２と、該本体部１の下部から前方へ折り返し状に曲折して上向きに開くコ字状の野縁受け抱持部３とが一体形成されており、吊りボルト取付部２にはボルト挿通孔２１が穿設されている。そして、本体部１及び吊りボルト取付部２の左右両側縁には、それぞれ該本体部１から吊りボルト取付部２にわたって連続して後方へ突出する突縁部４，４が設けられている。また、野縁受け抱持部３の前壁部３ａは、上部３１が曲げ部を本体部１に接近させるように側面視略くの字形に曲成されると共に、その曲げ部の左右両側にはＬ字形の切込み３２で分離されて後方（内側）へ斜め下向きに突出する抜止め突片５，５が設けてある。
【００１７】
上記構成の吊下げ用金具Ｈ１を建物天井部の軽量鉄骨製下地骨組に使用するには、図３に示すように、天井スラブＳから垂下する吊りボルトＦの下端部を吊りボルト取付部２のボルト挿通孔２１に挿通し、該吊りボルトＦに螺嵌した上下一対のナットＧによって該吊りボルト取付部２を挟み付けて固定すると共に、野縁受け抱持部３で野縁受けＤを下方から抱持して支承する。野縁受けＤは、既述のように、天井板Ａに取付けた天井野縁Ｂをフック部材Ｃを介して支持している。
【００１８】
このような下地骨組では、天井部全体に地震の揺れ等で大きな外力が作用しても、吊下げ用金具Ｈ１は、本体部１から吊りボルト取付部２にわたる両側縁に連続する突縁部４，４を有するから、その本体部１と吊りボルト取付部２の境界部が座屈したり伸びて開いたりせず、該本体部１と吊りボルト取付部２が剛体的に直角の配置を維持すると共に、本体部１自体も高剛性で曲がりにくくなる。従って、野縁受けＤと天井野縁Ｂ及び天井板Ａは天井スラブＳから一定の距離を維持し、地震時には天井部全体が建物躯体と一体に揺れ動く形になり、天井部全体の歪みや局部変形、天井部の脱落や破壊等を確実に防止できる。従って、この吊下げ用金具Ｈ１を用いることで、建物天井部の軽量鉄骨製下地骨組に高い耐震性が付与される。
【００１９】
また、この吊下げ用金具Ｈ１の野縁受け抱持部３は、前壁部３ａの上部３１の略くの字形の曲がりで上部側の開きが狭まっていることに加え、該前壁部３ａの上部３１の両側で内側へ斜め下向きに突出する抜止め突片５，５が離脱防止手段として機能するから、これを用いた下地骨組に地震等で大きな上下振動が加わっても  野縁受け抱持部３に抱持された天井野縁受けＤが上方へ離脱することがなく、もって天井部全体の歪みや局部変形、天井部の脱落や破壊等をより確実に防止できる。
【００２０】
なお、野縁受け抱持部３に抱持された野縁受けＤの上方離脱を防止する離脱防止手段としては、第一実施形態のような前壁部３ａの上部３１の両側に設けた抜止め突片５，５に限らず、様々な形態及び機構を採用できる。例えば、図４に示す第二実施形態の吊下げ用金具Ｈ２では、本体部１及び吊りボルト取付部２とこれらの両側縁の連続する突縁部４，４は第一実施形態と同様であるが、野縁受け抱持部３の前壁部３ａが下部を除いて全体的に内側へ凸に湾曲すると共に、上部３１の幅方向中央には上向きコ字形の切込みによって内側へ斜め下向きに突出する抜止め突片６が形成されており、該抜止め突片６が野縁受けＤの上方離脱を防止する離脱防止手段として機能する。
【００２１】
図５に示す第三実施形態の吊下げ用金具Ｈ３は、第一実施形態と同様に、本体部１から吊りボルト取付部２にわたる両側縁に連続する突縁部４，４を有すると共に、野縁受け抱持部３の前壁部３ａの上部３１が側面視略くの字形に曲成されて、その左右両側に内側へ斜め下向きに突出する抜止め突片５，５を有しているが、更に野縁受け抱持部３の拡がり阻止手段を有する点で第一実施形態とは異なっている。この拡がり阻止手段は、本体部１の上部側に打ち抜きによって形成されて下端が該本体部１につながるＴ字形の掛止片７と、野縁受け抱持部３の前壁部３ａの上部３１の中央に設けた上方へ開く掛止溝８とで構成され、該掛止片７を前方へ折り曲げて、その先端掛止部７ａを掛止溝８に掛合することにより、野縁受け抱持部３が外側へ拡がるのを阻止できるようにっている。なお、該掛止片７は、折り曲げに際してドライバー等の工具を引っかけ易いように、縦長矩形の打ち抜き穴１ａから前方へ迫り出すように配置すると共に、折り曲げによって基端位置に亀裂を生じるのを防ぐために、基部７ｂを後方へくの字状に曲げた形になっている。
【００２２】
この吊下げ用金具Ｈ３を使用する場合、図６に示すように、野縁受け抱持部３に野縁受けＤを抱持させたのち、図示仮想線の状態にあった掛止片７をドライバー等の適当な工具を用いて前方へ折り曲げ、図示実線の如く先端掛止部７ａを前壁部３ａの掛止溝８に掛合させる。これにより、吊下げ用金具Ｈ３は、野縁受け抱持部３が加重で拡がったり地震等の外力で拡がったりすることがなく、高い耐加重強度及び優れた耐久性が得られる。
【００２３】
野縁受け抱持部３の拡がり防止手段としては、第三実施形態のような掛止片７と掛止溝８とで構成する掛け止め方式に限らず、種々の方式を採用できる。例えば、図７に示す第四実施形態の吊下げ用金具Ｈ４では、第一〜第三実施形態と同様に本体部１から吊りボルト取付部２にわたる両側縁に連続する突縁部４，４を有しているが、野縁受け抱持部３の前壁部３ａの上部３１にはボルト挿通孔３３が穿設されると共に、本体部１には該ボルト挿通孔３３と略同じ高さにねじ孔１０が形成されており、前方からボルト挿通孔３３に挿通した連結ボルト９を該ねじ孔１０に螺着するようになっている。
【００２４】
この吊下げ用金具Ｈ４では、図７に示すように、野縁受け抱持部３に野縁受けＤを抱持させたのち、該野縁受け抱持部３の前壁部３ａと本体部１とを連結ボルト９で連結することにより、野縁受け抱持部３が加重で拡がったり地震等の外力で拡がったりするのを阻止できると共に、該連結ボルト９によって野縁受けＤの上方離脱も阻止できる。従って、この吊下げ用金具Ｈ４における連結ボルト９は、野縁受け抱持部３の拡がり防止手段と、野縁受けＤの離脱防止手段とを兼用している。
【００２５】
本考案の天井野縁受けの吊下げ用金具は、上記の第一〜第四実施形態で例示したものに限らず、各部の形状、既述の離脱防止手段や拡がり防止手段の形状及び構造等、細部構成については実施形態以外に種々設計変更可能である。
【符号の説明】
【００２６】
１          本体部
２          吊りボルト取付部
３          野縁受け抱持部
３ａ        前壁部
４          突縁部
５，６      抜止め突片（離脱防止手段）
７          掛止片（拡がり防止手段）
８          掛止溝（拡がり防止手段）
９          連結ボルト（離脱防止手段，拡がり防止手段）
Ｈ１〜Ｈ４  吊下げ用金具
Ｄ          野縁受け
Ｆ          吊りボルト
Ｓ          天井スラブ（天井躯体）
【図１】
0003161901.tif 000003
【図２】
0003161901.tif 000004
【図３】
0003161901.tif 000005
【図４】
0003161901.tif 000006
【図５】
0003161901.tif 000007
【図６】
0003161901.tif 000008
【図７】
0003161901.tif 000009
【図８】
0003161901.tif 000010
【図９】
0003161901.tif 000011
【図１０】
0003161901.tif 000012